(57)【要約】【課題】分析中の使用者の不安を和らげることのできる電子化粧鏡装置およびその表示方法を提供する。【解決手段】電子化粧鏡装置は、スクリーン、撮像装置、およびプロセッサを含む。スクリーンは、参考領域を表示する。スクリーンは、光源生成モジュールを含み、光源生成モジュールは、第１可動光源を提供する。プロセッサは、スクリーンおよび撮像装置に接続される。プロセッサは、顔領域が参考領域と重複しているかどうかを判断し、顔領域が参考領域と重複している時に、撮像装置を介して顔領域の画像を取得し、第１可動光源を発光するよう画像の光源生成モジュールを制御する。【選択図】図１
2020062374.tif 000002
【特許請求の範囲】
【請求項１】
参考領域を表示し、第１可動光源を提供する光源生成モジュールを含むスクリーンと、
撮像装置と、
前記スクリーンおよび前記撮像装置に接続されたプロセッサと、
を含み、前記プロセッサが、現画像の顔領域が前記参考領域と重複しているかどうかを判断し、前記顔領域が前記参考領域と重複していると判断されると、それに応じて、前記撮像装置を介して前記顔領域の画像を取得し、前記第１可動光源を発光するよう前記スクリーンの前記光源生成モジュールを制御する電子化粧鏡装置。
【請求項２】
前記光源生成モジュールが、前記参考領域に対応する参考光源を提供し、前記参考光源が、第１光源特徴を含む請求項1に記載の電子化粧鏡装置。
【請求項３】
前記第１可動光源が前記参考領域と重複していると判断されると、それに応じて、前記プロセッサが、さらに、前記参考光源を前記第１光源特徴から第２光源特徴に切り替えるよう前記光源生成モジュールを制御する請求項２に記載の電子化粧鏡装置。
【請求項４】
前記第１可動光源と前記参考領域が部分的に重複していることが検出されると、それに応じて、前記プロセッサが、前記参考領域に対応する前記参考光源の部分を前記第１光源特徴から第３光源特徴に切り替えるよう前記光源生成モジュールを制御し、
前記参考領域の部分と重複している前記第１可動光源が前記参考領域と重複しない状態に変化すると、それに応じて、前記プロセッサが、前記参考領域に対応する前記参考光源の部分を切り替えて、前記第３光源特徴から前記第１光源特徴に戻すよう前記光源生成モジュールを制御し、前記第３光源特徴の少なくとも輝度値または色が、前記第１光源特徴と異なる請求項２に記載の電子化粧鏡装置。
【請求項５】
前記プロセッサが、前記光源生成モジュールを制御して前記第１可動光源を発光した後に皮膚試験手順を起動し、前記顔領域が前記参考領域と重複していないことを前記撮像装置が検出すると、それに応じて、前記プロセッサが、前記皮膚試験手順が完了したかどうかを判断し、
前記皮膚試験が完了していないことが検出されると、それに応じて、前記プロセッサが、さらに、前記第１可動光源の動きを停止するよう前記光源生成モジュールを制御するとともに、前記参考光源を前記第１光源特徴または前記第２光源特徴から第４光源特徴に切り替えるよう前記光源生成モジュールを制御する請求項２に記載の電子化粧鏡装置。
【請求項６】
前記第１可動光源と前記参考領域が重複すると、それに応じて、前記プロセッサが、前記第１可動光源の移動速度を下げるよう前記光源生成モジュールを制御する請求項１に記載の電子化粧鏡装置。
【請求項７】
前記プロセッサが、前記第１可動光源を第１方向に移動させるよう前記光源生成モジュールを制御する請求項１に記載の電子化粧鏡装置。
【請求項８】
前記プロセッサが、さらに、第２可動光源を提供するよう前記光源生成モジュールを制御し、前記第２可動光源が、第２方向に移動し、前記第１方向および前記第２方向が、前記スクリーンの垂直方向、水平方向、または対角線方向であり、前記第１方向と前記第２方向が異なり、あるいは前記第１方向と前記第２方向が反対方向である請求項７に記載の電子化粧鏡装置。
【請求項９】
前記現画像を反射する表面鏡をさらに含み、
前記スクリーンが、前記現画像を表示しない請求項１に記載の電子化粧鏡装置。
【請求項１０】
電子化粧鏡装置に適用することのできる表示方法であって、
参考領域を表示するステップと、
顔領域が前記参考領域と重複しているかどうかを判断するステップと、
前記顔領域が前記参考領域と重複していると判断されると、それに応じて、前記顔領域の画像を取得して、第１可動光源を発光するステップと、
を含む表示方法。
【請求項１１】
前記参考領域に対応する参考光源を提供して、前記参考領域を表示するステップをさらに含み、前記参考光源が、第１光源特徴を含む請求項１０に記載の表示方法。
【請求項１２】
前記第１可動光源が前記参考領域と重複していると判断されると、それに応じて、前記参考光源を前記第１光源特徴から第２光源特徴に切り替えるステップをさらに含む請求項１１に記載の表示方法。
【請求項１３】
前記第１可動光源と前記参考領域が部分的に重複していることが検出されると、それに応じて、前記参考領域に対応する前記参考光源の部分を制御して、前記第２光源特徴から第３光源特徴に切り替えるステップと、
前記参考領域の部分と重複している前記第１可動光源が前記参考領域と重複しない状態に変化すると、それに応じて、前記参考領域に対応する前記参考光源の部分を切り替えて、前記第３光源特徴から前記第１光源特徴に戻すよう前記光源生成モジュールを制御するステップと、
をさらに含み、前記第３光源特徴の少なくとも輝度値または色が、前記第２光源特徴と異なる請求項１２に記載の表示方法。
【請求項１４】
前記光源生成モジュールを制御して前記第１可動光源を発光した後に皮膚試験手順を起動するステップと、
前記顔領域が前記参考領域と重複していないことが検出されると、それに応じて、前記皮膚試験手順が完了したかどうかを判断するステップと、
前記皮膚試験が完了していないことが検出されると、それに応じて、前記第１可動光源の動きを停止するとともに、前記参考光源を前記第２光源特徴から第４光源特徴に切り替えるよう前記光源生成モジュールを制御するステップと、
をさらに含む請求項１１に記載の表示方法。
【請求項１５】
前記第１可動光源と前記参考領域が重複すると、それに応じて、前記第１可動光源の移動速度を下げるステップをさらに含む請求項１１に記載の表示方法。
【請求項１６】
第１方向に移動するよう前記第１可動光源を制御するステップをさらに含む請求項１０に記載の表示方法。
【請求項１７】
第２方向に移動する第２可動光源を提供するステップをさらに含み、
前記第１方向および前記第２方向が、前記電子化粧鏡装置の前記スクリーンに対応する垂直方向、水平方向、または対角線方向であり、前記第１方向と前記第２方向が異なり、あるいは前記第１方向と前記第２方向が反対方向である請求項１６に記載の表示方法。
【請求項１８】
前記第１可動光源が前記スクリーンの第１側から第２側へ向かって前記第１方向に移動し、前記第１可動光源が前記第２側に移動すると、それに応じて、前記第２光源特徴から第５光源特徴に切り替わるよう前記参考光源を制御するステップをさらに含む請求項１６に記載の表示方法。
【請求項１９】
前記参考領域が、顔輪郭または幾何学パターンに対応する請求項１０に記載の表示方法。
【発明の詳細な説明】
【技術分野】
【０００１】
本発明は、電子化粧鏡装置およびその表示方法に関するものである。
【背景技術】
【０００２】
時間の長さや速度は相対概念であるが、皮膚の老化はそうではない。使用者が時間の流れを速く感じるか遅く感じるかに関わらず、使用者の皮膚は、季節が巡ると、気づかないうちに老化している。しかしながら、技術の発展に伴い、皮膚の状態や老化の程度を画像分析で評価できるようになった。
【０００３】
使用者の皮膚の状態や老化の程度を評価する時は、画像分析を行って顔特徴を取得し、各特徴を分析して、使用者の皮膚の状態や老化の程度を評価する必要があるため、使用者は、これら全てのプロセスが完了するまで待たなければならない。分析を待っている間、使用者の不安感を和らげ、改良された技術体験を楽しめるようにすることが、本分野における重要な課題となっている。
【発明の概要】
【発明が解決しようとする課題】
【０００４】
本発明は、顔分析プロセスにおいて新規の分析画像を提供し、待っている間の使用者の不安を和らげることのできる電子化粧鏡装置およびその表示方法を提供する。
【課題を解決するための手段】
【０００５】
本発明の１つの実施形態は、スクリーンと、撮像装置と、プロセッサとを含む電子化粧鏡装置を提供する。スクリーンは、参考領域を表示し、光源生成モジュールを含む。光源生成モジュールは、第１可動光源を提供する。プロセッサは、スクリーンおよび撮像装置に接続される。顔領域が撮像装置を介して参考領域と重複していると判断されると、それに応じて、プロセッサは、顔領域を取得するよう撮像装置を制御して、第１可動光源を発光するよう画像の光源生成モジュールを制御する。
【０００６】
本発明の１つの実施形態は、さらに、電子化粧鏡装置に適用することのできる表示方法を提供する。この表示方法は、下記のステップを含む。参考領域を表示する。顔領域が参考領域と重複しているかどうかを判断する。顔領域が参考領域と重複していると判断されると、それに応じて、顔領域を取得して、第１可動光源を発光する。
【発明の効果】
【０００７】
以上のように、電子化粧鏡装置およびその顔分析を行うための表示方法は、使用者が自分の肌質分析を待っている時に、可動光源を制御して、使用者の不安感を紛らわすとともに、使用者は、改良された技術体験を楽しむこともできる。
【０００８】
本発明の上記および他の目的、特徴、および利点をより分かり易くするため、図面と併せた幾つかの実施形態を以下に説明する。
【図面の簡単な説明】
【０００９】
添付図面は、本発明の原理がさらに理解されるために含まれており、本明細書に組み込まれ、且つその一部を構成するものである。図面は、本発明の実施形態を例示しており、説明とともに、本発明の原理を説明する役割を果たしている。
【００１０】
【図１】本発明の１つの実施形態に係る電子化粧鏡装置のシステムを示す概略図である。
【図２】本発明の１つの実施形態に係る電子化粧鏡装置の回路接続を示す概略図である。
【図３】本発明の１つの実施形態に係る表示方法を示す概略的フローチャートである。
【図４】図４Ａ〜図４Ｆは、電子化粧鏡装置の第１可動光源の動きを示す概略図である。
【図５】本発明の別の実施形態に係る電子化粧鏡装置の可動光源を示す概略図である。
【図６】本発明の１つの実施形態に係る電子化粧鏡装置の表示内容を示す概略図である。
【図７】本発明の１つの実施形態に係る電子化粧鏡装置の表示内容を示す概略図である。
【発明を実施するための形態】
【００１１】
添付の図面に示した例示的実施形態を参照して、本発明を説明する。可能な限り、図面および説明において、同一の、または類似する構成要素には、同一の参照番号を使用する。
【００１２】
図１は、本発明の１つの実施形態に係る電子化粧鏡装置のシステムを示す概略図である。図１を参照すると、電子化粧鏡装置１００は、スクリーン１１０および撮像装置１２０を有する。
【００１３】
スクリーン１１０は、現画像および電子化粧鏡装置１００によって提供された様々なメッセージを表示する。本発明の１つの実施形態において、スクリーン１１０は、表面鏡および表示スクリーンで構成される。表面鏡は、高反射性材料（例えば、鏡）で作られ、光の屈折により、例えば、使用者の画像および使用者の背景画像等の現画像を表示するよう構成される。表示スクリーンは、表面鏡の後ろに配置され、メッセージを表示するよう構成される。例えば、表示スクリーンは、液晶ディスプレイ（liquid crystal display, LCD）、有機発光ダイオード（organic light-emitting diode, OLED）ディスプレイ、薄膜トランジスタ液晶ディスプレイ（thin film transistor liquid crystal display, TFT-LCD）等であってもよいが、本発明はこれに限定されない。本発明の１つの実施形態において、表示スクリーンは、静電容量式タッチスクリーン、抵抗式タッチスクリーン等の様々な種類のタッチスクリーンであってもよい。
【００１４】
表面鏡は、高反射性材料で作られるため、表示スクリーンがバックライトを表示していない時、表面鏡は、現画像（例えば、使用者の顔画像および背景画像、または背景画像）を反射する。表示スクリーンが高輝度の光線を表示すると、光線は、表面鏡を貫通して使用者の目に到達するため、使用者は、表示スクリーンに表示されたメッセージを見ることができる。このように、表面鏡と表示スクリーンの組み合わせにより、使用者は、表面鏡を通して自分を見ることができ、同時に、メッセージを閲覧することができる。
【００１５】
撮像装置１２０は、画像を取得するよう構成される。撮像装置１２０は、例えば、電子化粧鏡装置１００に埋め込まれたビデオカメラまたはカメラ、あるいは電子化粧鏡装置に外部接続された携帯電話、カメラ等であるが、本発明はこれに限定されない。
【００１６】
図２は、本発明の１つの実施形態に係る電子化粧鏡装置の回路接続を示す概略図である。図２を参照すると、本実施形態のスクリーン１１０は、さらに、光源生成モジュール１１２を含む。光源生成モジュール１１２は、コントローラ（例えば、光源コントローラチップ）および光源発光装置（例えば、発光ダイオード、冷陰極管等）から成る。コントローラは、表示制御信号を受信するよう構成され、それに基づいて、光源発光装置の切り替えを制御して、光源を発光する。つまり、スクリーン１１０は、光源生成モジュール１１２によって提供された光源を介して、様々な画像をスクリーン１１０に表示する。
【００１７】
光源生成モジュール１１２によって提供された光源は、同じ、または異なる光源特徴を有する。光源特徴は、例えば、輝度値、色彩値、コントラスト値、または上述したパラメータの組み合わせを含むことができ、あるいは異なる視覚効果を表示することのできる任意の光源特徴であってもよく、これらの光源特徴は、いずれも本発明に応用可能である。１つの実施形態において、第１光源特徴は、例えば、輝度値が０〜１００の間であってもよく、色彩値は、光の各三原色に基づいて調整することができる。つまり、赤色値は、０〜２５５の間であってもよく、青色値は、０〜２５５の間であってもよく、黄色値は、０〜２５５の間であってもよい。しかしながら、光源特徴の範囲の値は、スクリーン１１０および光源生成モジュール１１２に対して設計されたパラメータにより異なってもよく、本発明はこれに限定されない。
【００１８】
本実施形態において、光源生成モジュール１１２は、可動光源を提供する。具体的に説明すると、可動光源に関しては、コントローラが、表示制御信号に基づいてスクリーン１１０の異なる領域に対応する光源発光装置のオン／オフ状態を制御するため、見ている人は、光源が動いているように見える。しかしながら、別の実施形態において、可動光源発光装置は、光源生成モジュール１１２の中に配置されてもよく、本発明はこれに限定されない。
【００１９】
本実施形態の電子化粧鏡装置１００は、さらに、プロセッサ１３０を含む。プロセッサ１３０は、スクリーン１１０および撮像装置１２０に結合され、電子化粧鏡装置１００が作動している時に様々な操作を実行する。また、本実施形態において、プロセッサ１３０は、さらに、画像および／またはメッセージを処理した後、画像処理結果またはメッセージ処理結果に基づいて、光源生成モジュール１１２に表示信号を提供する。プロセッサ１３０は、例えば、中央処理装置（central processing unit, CPU）、マイクロプロセッサ（microprocessor）、特定用途向け集積回路（application specific integrated circuit, ASIC）、プログラム可能な論理装置（programmable logic device, PLD）、またはその他の類似デバイスであってもよい。
【００２０】
図３は、本発明の１つの実施形態に係る表示方法を示す概略的フローチャートである。本実施形態において、表示方法は、少なくとも、図１の電子化粧鏡装置１００に適しており、表示方法の実施を示すフローチャートを図１および図３を介して説明する。
【００２１】
この表示方法は、使用者が電子化粧鏡装置１００の顔走査機能を起動した時、例えば、使用者が皮膚試験や顔分析等の状況を起動した時に使用するのに適している。まず、ステップＳ３１０において、電子化粧鏡装置１００のスクリーン１１０で、参考領域を表示する。
【００２２】
具体的に説明すると、顔分析試験の効果は、使用者の顔の大きさと位置に影響される。そのため、本発明の実施形態において、プロセッサ１３０は、光源生成モジュール１１２を介してスクリーン１１０に参考領域を表示して、顔を参考領域内にフィットさせるよう使用者に指示する。参考領域は、使用者が参考領域と顔の位置を一致させることのできる任意のパターン（例えば、円、四角形、五角形、六角形等）であってもよい。
【００２３】
本実施形態において、参考領域は、顔領域に対応するパターンである。具体的に説明すると、参考領域は、顔参考輪郭と、顔特徴輪郭とを含む。顔参考輪郭は、顔を顔参考輪郭内にフィットさせ、顔特徴を顔特徴輪郭内にフィットさせるよう使用者に指示するために構成される。参考領域は、異なる型番の電子化粧鏡装置１００に応じて調整可能であるため、本発明は参考領域の位置を限定する意図はない。言及すべきこととして、スクリーン１１０は、顔参考輪郭および顔特徴輪郭に相対する位置で参考光源を表示することにより、参考領域を表示するよう光源生成モジュール１１２を制御する。参考光源は、第１光源特徴を有する。例えば、第１光源特徴は、輝度値が６８、赤色値が２５５、黄色値が２５５、青色値が２５５であってもよい。
【００２４】
ステップＳ３２０において、プロセッサ１３０は、顔領域が参考領域と重複しているかどうかを判断する。詳しく説明すると、本発明で説明する重複とは、スクリーン１１０によって表示された顔領域が参考領域内にあり、顔領域と参考領域が視覚的に重複していることを指す。
【００２５】
プロセッサ１３０で顔領域と参考領域が重複しているかどうかを判断するために使用される方法は、例えば、プロセッサ１３０により、撮像装置１２０が取得した画像をスクリーン１１０の画素範囲に対応するように設定する方法である。そのため、プロセッサ１３０は、撮像装置１２０を介して、スクリーン１１０に対応する顔領域の位置が参考領域の位置と一致しているかどうかを判断するが、本発明はこれに限定されない。
【００２６】
言及すべきこととして、人々の顔特徴の形状、大きさ、および位置は全て異なるため、本発明の１つの実施形態において、使用者の顔特徴が全て顔特徴輪郭内にフィットした時に、プロセッサ１３０により重複を判断する。あるいは、顔領域と参考領域の重複率に基づいて、プロセッサ１３０により重複を判断してもよく、本発明はこれに限定されない。
【００２７】
ステップＳ３３０において、顔領域が参考領域と重複していると判断した時、プロセッサ１３０は、撮像装置１２０を介して顔領域の画像を取得し、光源生成モジュール１１２を介して第１可動光源を発光する。同時に、プロセッサ１３０は、皮膚試験手順を起動し、撮像装置１２０が取得した画像に基づいて、皮膚試験および顔分析を実行する。
【００２８】
本発明の１つの実施形態において、プロセッサ１３０は、光源生成モジュール１１２を介して第１方向に移動するよう第１可動光源を制御する。第１方向は、例えば、スクリーン１１０に沿って垂直方向、水平方向、対角線方向、縁から内向きの方向、中央から外向きの方向、螺旋方向等であり、あるいは、使用者自身が定義した方向であってもよく、本発明はこれに限定されない。
【００２９】
図４Ａ〜図４Ｆを介して第１可動光源の動きについて説明する。図４Ａ〜図４Ｆを参照すると、図４Ａ〜図４Ｆは、電子化粧鏡装置の第１可動光源の動きを示す概略図である。下記の実施形態において、第１方向は、スクリーン１１０に沿って垂直であり、スクリーン１１０の第１側１１１ａから第２側１１１ｂに向かって垂直に移動する方向である。
【００３０】
図４Ａにおいて、スクリーン１１０は、参考領域２０を表示して、顔領域を参考領域２０内にフィットさせるよう使用者に指示する。
【００３１】
図４Ｂにおいて、プロセッサ１３０は、使用者の顔領域が参考領域内にフィットしているかどうかを判断し、スクリーン１１０の第１側１１１ａに位置する第１可動光源Ｌを提供する。
【００３２】
図４Ｃにおいて、この時、プロセッサ１３０は、光源生成モジュール１１２を制御して、第１可動光源Ｌをスクリーン１１０の下の部分に垂直移動させる。
【００３３】
本実施形態において、同時に、参考領域２０の参考光源を第１光源特徴から第２光源特徴に切り替える。上述したように、第１光源特徴は、例えば、輝度値が６８、赤色値が２５５、黄色値が２５５、青色値が２５５であってもよい。切り替えられた第２光源特徴は、例えば、輝度値が６８、赤色値が０、黄色値が０、青色値が２５５であってもよい。
【００３４】
本実施形態において、参考領域２０の参考光源を第１光源特徴から第２光源特徴に切り替えるだけでなく、第１可動光源Ｌと対応して重複する参考領域の部分２０ａの参考光源も第２光源特徴から第３光源特徴（例えば、輝度値が６８、赤色値が０、黄色値が２５５、青色値が２５５）に切り替える。言及すべきこととして、本発明の１つの実施形態において、第３光源特徴は、第１光源特徴と異なるため、使用者は、異なる視覚体験を楽しむことができる。
【００３５】
また、本実施形態において、第１可動光源Ｌと参考領域２０が重複している時、プロセッサ１３０は、また、第１可動光源Ｌの移動速度を下げるよう光源生成モジュール１１２を制御する。しかしながら、本発明はこれに限定されない。
【００３６】
言及すべきこととして、プロセッサ１３０は、光源生成モジュール１１２によって発光された第１可動光源Ｌの位置およびスクリーン１１０の参考領域２０の位置に基づいて、第１可動光源Ｌが参考領域２０と重複しているかどうかを判断するが、本発明はこれに限定されない。
【００３７】
図４Ｄにおいて、第１可動光源Ｌは、下方に移動し続け、参考領域の部分２０ｂと重複する。この時、図４Ｃにおいて第１可動光源Ｌと重複している参考領域の部分２０ａは、第１可動光源Ｌと重複しない状態に変化する。この時、参考領域の部分２０ａを切り替えて、第３光源特徴から第２光源特徴に戻す。第１可動光源Ｌと重複している参考領域の部分２０ｂは、第２光源特徴から第３光源特徴に切り替わるが、ここでは繰り返し説明しない。
【００３８】
図４Ｅにおいて、第１可動光源Ｌは、下方に移動し続け、参考領域２０と重複しなくなる。この時、参考領域２０を第２光源特徴から第１光源特徴に切り替える。つまり、本実施形態において、第１可動光源Ｌが参考領域２０と重複していない時、参考領域２０は、第１光源特徴を表示する。第１可動光源Ｌが参考領域２０と重複している時、参考領域２０は、第２光源特徴を表示し、第１可動光源Ｌと重複している参考領域の部分は、第３光源特徴を表示する。
【００３９】
図４Ｆにおいて、第１可動光源Ｌは、スクリーン１１０の第２側１１１ｂに向かって下方に移動し続ける。この時、参考領域２０の参考光源を第１光源特徴または第２光源特徴から第５光源特徴（例えば、輝度値が１００、赤色値が２５５、黄色値が２５５、青色値が２５５）に切り替える。本発明の１つの実施形態において、スクリーン１１０の第１側１１１ａからスクリーン１１０の第２側１１１ｂに移動した後、第１可動光源Ｌは、再度スクリーン１１０の第２側１１１ｂからスクリーン１１０の第１側１１１ａに移動する。この時、参考領域２０および第１可動光源Ｌがスクリーン１１０に表示されるプロセスは、図４Ａ〜図４Ｆに示したプロセスと同じであり、異なる点は、方向の変化のみであるため、ここでは繰り返し説明しない。
【００４０】
本発明の別の実施形態では、図４Ｃおよび図４Ｄにおいて、参考領域２０の参考光源を第１光源特徴から第２光源特徴に切り替えない。しかしながら、第１可動光源Ｌと対応して重複している参考領域の部分２０ａまたは参考領域の部分２０ｂの参考光源を直接第１光源特徴から第３光源特徴（例えば、輝度値が６８、赤色値が０、黄色値が２５５、青色値が２５５）に切り替える。さらに、第１可動光源Ｌが移動し続けて、参考領域の部分２０ａまたは参考領域の部分２０ｂが第１可動光源Ｌと重複しなくなった時、参考領域の部分２０ａまたは参考領域の部分２０ｂを切り替えて、第３光源特徴から第１光源特徴に戻す。
【００４１】
言及すべきこととして、使用者が皮膚試験手順中に移動して、顔領域が参考領域と重複しなくなり、皮膚試験手順が完了しなかった場合、この時、プロセッサ１３０は、参考領域２０の参考光源を制御して、第２光源特徴から第４光源特徴（例えば、輝度値が１００、赤色値が２５５、黄色値が０、青色値が０）に切り替える。このようにして、皮膚試験手順が完了していないことを使用者に指示する。
【００４２】
図５は、本発明の別の実施形態に係る電子化粧鏡装置の可動光源を示す概略図である。図５を参照すると、本発明の１つの実施形態において、電子化粧鏡装置１００は、第１可動光源Ｌ１を生成するよう光源生成モジュール１１２を制御するだけでなく、第２可動光源Ｌ２も生成するよう光源生成モジュール１１２を制御する。第１可動光源Ｌ１は、第１方向に移動し、第２可動光源Ｌ２は、第２方向に移動する。第１方向と第２方向は、異なり、互いに反対方向である。第１方向および第２方向は、例えば、スクリーン１１０に沿って垂直方向、水平方向、対角線方向、縁から内向きの方向、中央から外向きの方向、螺旋方向等であり、あるいは、使用者自身が定義した方向であってもよく、本発明はこれに限定されない。
【００４３】
図５に示した実施形態において、第１可動光源Ｌ１は、スクリーン１１０の第１側１１１ａに位置し、第１可動光源Ｌ１は、第２側１１１ｂに向かって下方に垂直移動する。第２可動光源Ｌ２は、スクリーン１１０の第２側１１１ｂに位置し、第２可動光源Ｌ２は、第１側１１１ａに向かって移動する。第１可動光源Ｌ１および第２可動光源Ｌ２は、図４Ａ〜図４Ｆと類似する方法で移動するため、ここでは繰り返し説明しない。
【００４４】
図６を参照すると、図６は、本発明の１つの実施形態に係る電子化粧鏡装置の表示内容を示す概略図である。図６を参照すると、走査が完了した後、電子化粧鏡装置は、スクリーン１１０にプリセット処理指示アイコンを表示して、電子化粧鏡装置１００が分析結果を処理中であることを使用者に指示する。
【００４５】
図７は、本発明の１つの実施形態に係る電子化粧鏡装置の表示内容を示す概略図である。図７において、使用者の参考として提供するために、スクリーン１１０を介して顔分析結果７７７が表示される。
【００４６】
以上のように、顔分析を行うための電子化粧鏡装置およびその表示方法は、使用者が自分の肌質分析を待っている時に、可動光源を制御して、使用者の不安感を紛らわすとともに、使用者は、改良された技術体験を楽しむこともできる。
【００４７】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００４８】
電子化粧鏡装置およびスクリプト操作方法は、鏡装置およびその操作方法に応用することができる。
【符号の説明】
【００４９】
２０、２０ａ、２０ｂ  参考領域
１００  電子化粧鏡装置
１１０  スクリーン
１１０ａ、１１０ｂ  スクリーンの側
１１２  光源生成モジュール
１２０  撮像装置
１３０  プロセッサ
Ｓ３１０〜Ｓ３３０  ステップ
Ｌ、Ｌ１、Ｌ２  可動光源
７７７  顔分析結果
【図１】
2020062374.tif 000003
【図２】
2020062374.tif 000004
【図３】
2020062374.tif 000005
【図４−１】
2020062374.tif 000006
【図４−２】
2020062374.tif 000007
【図４−３】
2020062374.tif 000008
【図５】
2020062374.tif 000009
【図６】
2020062374.tif 000010
【図７】
2020062374.tif 000011
【外国語明細書】
2020062374000001.pdf